(57)【特許請求の範囲】
【請求項１】
上面シート、底面シート、サイドトリム、複数の形状維持部材、内部防壁からなり、
サイドトリムの上端が上面シートに、下端が底面シートに接続されることで、ガスが収容される第１チャンバが形成され、
形状維持部材のそれぞれの第１端部が上面シートに、第２端部が底面シートに接続され、
内部防壁によって第１チャンバの一部を密封することにより、第１チャンバ内に、第１チャンバとは独立してガスが収容される第２チャンバが形成されていることを特徴とするマルチチャンバ式エアベッド。
【請求項２】
第１チャンバ用の第１エアバルブおよび第２チャンバ用の第２エアバルブを有する請求項１に記載のマルチチャンバ式エアベッド。
【請求項３】
上面シート、底面シート、サイドトリム、複数の形状維持部材および内部防壁がビニル樹脂からなる請求項１に記載のマルチチャンバ式エアベッド。
【請求項４】
上面シート、底面シート、サイドトリム、複数の形状維持部材、内部防壁からなり、
サイドトリムの上端が上面シートに、下端が底面シートに接続されることで、ガスが収容される一のチャンバが形成され、
形状維持部材のそれぞれの第１端部が上面シートに、第２端部が底面シートに接続され、
内部防壁によって前記一のチャンバの一部を密封することにより、該一のチャンバ内に、該一のチャンバとは独立してそれぞれにガスが収容される他の複数のチャンバが形成されていることを特徴とするマルチチャンバ式エアベッド。
【請求項５】
前記一のチャンバおよび前記他の複数のチャンバにそれぞれのエアバルブを設けた請求項４に記載のマルチチャンバ式エアベッド。
【請求項６】
上面シート、底面シート、サイドトリム、複数の形状維持部材および内部防壁がビニル樹脂からなる請求項４に記載のマルチチャンバ式エアベッド。
【発明の詳細な説明】
【産業上の利用分野】
【０００１】  本発明は、膨張式エアベッド、特にマルチチャンバ式エアベッドに関する。
【背景技術】
【０００２】  膨張式エアベッド（一般的に「エアベッド」とよばれる。）は、従来から周知であり、たいへん便利であることが知られている。膨張式エアベッドの上で眠る必要がない場合には、所有者は、単に、エアベッドを収縮させ、すなわちすベての空気を抜き、折り畳んで、それから物置や地下室で保管するだけでよい。一方、来客がある場合や、エアベッドの所有者が睡眠用のベッドがない場所に旅行する場合には、所有者は、単に、エアベッドを膨張させ、その上で眠ればよいのである。【０００３】  現行の膨張式エアベッドは、シングルチャンバ式すなわち単一の空気室を有しており、エアベッドのある部分を他の部分から封止する防壁がないため、エアベッドの内部で空気はどこへも移動できる。そのため、複数の人間がエアベッドで眠ったり、座ったりすると、当該人間の体重移動により、エアベッドのある部分から他の部分へ、空気は頻繁に移動させられる。【０００４】  たとえば、人物Ａがクィーンサイズの膨張式エアベッドの左側に寝ていると想定する。現時点では、エアベッドの右側には体重がかかっていないので、平衡圧状態となるまで、すなわち右側が空気をそれ以上保持できなくなるまで、空気は体重のかかっていないエアベッドの右側に自然に流れるであろう。右側への空気の移動の結果、エアベッドの右側が持ち上がることになる。しかし、エアベッド内の形状維持部材が、右側が所定以上の高さに持ち上がるのを防止する。【０００５】  次に、人物Ｂがエアベッドの持ち上がっている右側に寝ようとすると想定する。人物Ｂがエアベッドの右側に降りることで、新たな体重がかかり、人物Ａが眠っているエアベッドの左側の方向に空気を再び押し戻すこととなる。エアベッドの左側に空気が流れ戻ることにより、新たに加えられた空気圧が低くなるまで、左側が上昇することとなる。この予期しないエアベッドの左側の上昇により、人物Ａが目覚めてしまう可能性がある。さらに、睡眠中に人物ＡまたはＢが動くたびに、エアベッド上の体重が移動して、空気がエアベッドの内側全体を移動することになる。体重移動に反応して、空気がエアベッドの内側全体を頻繁に動くため、エアベッドの別の部分が体重移動が停止するまで上下することになる。一人の人物が動くたびに、頻繁にベッドが振動し、持ち上げられ、押し沈むので、良好な睡眠が妨げられてしまう。
【課題を解決するための手段】
【０００６】  １つの実施例において、本発明は、マルチチャンバ式エアベッドを提供することにより、エアベッドに眠っているまたは座っている一人またはそれ以上の人間による体重移動の影響を低減する。本発明によるマルチチャンバ式エアベッドにおいては、少なくとも２つのチャンバ（空気室）がエアベッドの内側に設けられる。各チャンバは、独自のエアバルブ（空気弁）を有し、エアベッドの独自の部分を占める。また、各チャンバは、エアベッドの内側で、防壁または隔壁により、互いに完全に密閉され独立している。このようにして、一人がエアベッドの部分で１つのチャンバ上において、その体重を移動させても、空気は他のチャンバすなわちエアベッドの他の部分に流れることはない。
【発明を実施するための形態】
【０００７】  以下の記載においては、本発明のさまざまな特徴が記述される。本発明を完全に理解できるように、特定の形態や細部が説明されるが、あくまでも説明を目的とするものである。さらに、周知の特徴は、本発明が不明瞭とならないように、省略または簡略される。
【０００８】  実施例において、マルチチャンバ式エアベッドが示される。提示される実施例においては、マルチチャンバ式エアベッドは、デュアルチャンバ式エアベッド、すなわち２つのチャンバ（空気室）を備えるエアベッドとして記述される。当業者であれば理解できることであるが、要望があれば、本発明のエアベッドにはさらなる数のチャンバ（空気室）を備えることができる。
【０００９】  図１および図２に示される実施例において、マルチチャンバ式エアベッド１の外観は、従来知られているいかなる設計のものでもよい。本実施例のエアベッド１は、上面シート２、底面シート３、サイドトリム４からなり、サイドトリム４の上端が上面シート２の端部と接続しており、サイドトリム４の下端が底面シート３の端部と接続しており、これにより、エアベッド１の内側に空気または気体物質が保持できるように、エアベッド１が密封容器ないしはコンテナを形成する。接合部のつなぎ目からガスが漏出しないように、従来知られている接着または密封手段により、サイドトリム４と上面シート２および底面シート３を接続してもよい。また、上面シート２、底面シート３およびサイドトリム４を１つの部材で作製すれば、接着や密封は不要となる。
【００１０】  図１および図２に示されるように、エアベッド内部全体に形状維持部材５が配置されており、その一端が上面シート２に他端が底面シート３に接続されている。これらのコイル５は、エアベッド１上での体重移動により空気が移動する際に、上面シート２（または底面シート３）のさまざまな部分があまりに伸長しすぎないように（たとえば、風船形にならないように）して、エアベッド１の形状を維持する。
【００１１】  図１および図２に示される本発明の実施例において、内部防壁（または隔壁）６により、第１チャンバ７および第２チャンバ８が形成される。図１に示されるように、内部防壁６は、エアベッド１の一部を完全に密封することで、隣り合うまたは取り囲む部分から独立した第２チャンバ８を形成し、そのため空気やガスが密封された部分の外側の領域から流れ込むことができない。図１および図２に示される実施例においては、たとえば、内部防壁６の上端と上面シート２を、内部防壁６の下端と底面シート３を接続する、すなわち封止したり、接着することにより、この密封状態が形成される。
【００１２】  また、図３に示される他の実施例においては、内部防壁６は上面シート２または底面シート３のいずれかにも接続されておらず、そのため、第２チャンバ８は、第１チャンバ７の中を自由に移動することができる。その代わりに、図３に示されるように、内部防壁６をサイドトリム４にのみ取り付ける。さらに他の実施例においては、内部防壁６を上面シート２または底面シート３の一方にのみ接続してもよい。本発明に従って、内部防壁６が空気が１つのチャンバから他のチャンバへ流れるのを防止する限り、様々な形態に調整したり、様々な形態のものに取り付けたりすることができる。
【００１３】  図１および図２に示される実施例においては、第２チャンバ８は、第１チャンバ７の内側に配置される。また、一方を他方の内側に配置する代わりに、実施例の第１チャンバ７および第２チャンバ８を２つの分離したチャンバとすることもできる。たとえば、内部防壁６をエアベッド１の中央を縦断する１枚の細長い布とすることで、エアベッド１の右半分と左半分を内部的に分離することができる。
【００１４】  さらに、図１および図２に示される実施例においては、内部防壁６により単純な長方形の第２チャンバ８が形成されているが、当業者であれば、第１チャンバ７または第２チャンバ８を（２以上のチャンバを有するときは他のチャンバも）他の形状としうることを理解できるであろう。たとえば、内部防壁６により、チャンバを正方形、長円形、円形、あいまいな形状を含むその他要求される形状とすることができる。
【００１５】  図１および図２に示される実施例（および図３に示される他の実施例）において、チャンバ７および８のそれぞれにエアバルブ９が取り付けられている。エアバルブ９は、ダブルロックバルブ、ボフティック（Boftic）バルブなどの従来知られているどのようなバルブでもよい。空気が１つのチャンバから他のチャンバへ流れないようにし、それぞれのチャンバを個別に膨張できるように、実施例におけるそれぞれのチャンバはそれぞれのバルブ９を有する必要がある。チャンバがそれぞれのバルブ９を有するので、たとえば、所望により、エアベッドの一部分を他の部分よりも固くするために、第２チャンバ８よりも高い空気圧で第１チャンバ７に空気を充填することができる。さらに、エアベッド１を全体的に膨張させる代わりに、たとえば、第１チャンバ７または第２チャンバ８のいずれかのみに空気を充填することもできる。実施例に示されるように、２つのエアバルブ９は、それぞれのチャンバにおける上面シート２、底面シート３またはサイドトリム４のいずれに配置してもよい。
【００１６】  エアベッド１、形状維持部材５、および内部防壁６は、空気またはガスが透過できない、ビニル樹脂、プラスチック、ゴムなどいずれの材料から構成されてもよい。
【図面の簡単な説明】
【図１】  本発明によるマルチチャンバ式エアベッドの１実施例についての一部断面斜視図である。
【図２】  本発明によるマルチチャンバ式エアベッドの１実施例についての一部断面正面図である。
【図３】  本発明によるマルチチャンバ式エアベッドの他の実施例についての一部断面斜視図である。
【符号の説明】  １  ニアベッド、  ２  上面シート、  ３  底面シート、  ４  サイドトリム、  ５  コイル、  ６  内部防壁、  ７  第１チャンバ、  ８  第２チャンバ、  ９  ニアバルブ
【図１】
0005268212.tif 000002
【図２】
0005268212.tif 000003
【図３】
0005268212.tif 000004